(57)【要約】【課題】  表示領域前方の操作領域において行われる操作を検知する表示装置において、検知精度を向上させる。【解決手段】  表示装置であって、表示領域前方の操作領域に赤外線を投光する投光器と、前記投光器が投光した際の反射光を受光する受光器と、表示領域に表示される画像データの各画素値に応じて、前記投光器が投光する赤外線の光量、または、前記受光器が受光する反射光の光量を、補正する補正部とを有することを特徴とする。【選択図】図６
2020046775.tif 000002
【特許請求の範囲】
【請求項１】
表示領域前方の操作領域に赤外線を投光する投光器と、
前記投光器が投光した際の反射光を受光する受光器と、
表示領域に表示される画像データの各画素値に応じて、前記投光器が投光する赤外線の光量、または、前記受光器が受光する反射光の光量を、補正する補正部と
を有することを特徴とする表示装置。
【請求項２】
前記補正部は、
前記画像データの各画素のＲ値に応じて、前記投光器が投光する赤外線の光量、または、前記受光器が受光する反射光の光量を補正することを特徴とする請求項１に記載の表示装置。
【請求項３】
前記補正部は、
前記表示領域のうち、複数の前記投光器の位置に応じた領域に表示される前記画像データの各画素のＲ値に応じて、前記複数の投光器が投光する赤外線の光量、または、前記受光器が受光する反射光の光量を補正することを特徴とする請求項２に記載の表示装置。
【請求項４】
前記投光器が補正後の光量で赤外線を投光した際に、前記受光器が受光した反射光の光量、または、前記投光器が投光した際に前記受光器が受光した反射光の光量を補正した補正後の光量、に基づいて、前記操作領域において操作が行われたか否かを検知する検知部を更に有することを特徴とする請求項１乃至３のいずれか１項に記載の表示装置。
【請求項５】
表示領域前方の操作領域に赤外線を投光する投光器と、
前記投光器が投光した際の反射光を受光する受光器と、
を有する表示装置における補正方法であって、
表示領域に表示される画像データの各画素値に応じて、前記投光器が投光する赤外線の光量、または、前記受光器が受光する反射光の光量を、補正することを特徴とする補正方法。
【発明の詳細な説明】
【技術分野】
【０００１】
本発明は、表示装置及び補正方法に関する。
【背景技術】
【０００２】
従来より、車両に搭載される表示装置に赤外線ＬＥＤと赤外線検知デバイスとを内蔵させ、赤外線の投受光を行うことで、表示領域前方の空間（操作領域と称す）において行われる操作を検知する検知技術が知られている。当該表示装置によれば、操作領域に操作者の手指が移動することで赤外線が反射し、反射光の光量が増加することで、操作者による操作を検知することができる。
【先行技術文献】
【特許文献】
【０００３】
【特許文献１】特開２０１１−８６２２０号公報
【特許文献２】特開２０１５−２０１０６７号公報
【発明の概要】
【発明が解決しようとする課題】
【０００４】
一方で、赤外線が操作者の手指に反射した際の反射光の光量は、常に一定であるとは限られず、例えば、表示領域に表示される画像データ（いわゆる絵柄）が変化した場合には、その影響を受ける。これは、画像データのＲＧＢ値の変化に伴い液晶装置の偏向度が変化し、赤外線の透過率が変化するからである。このため、表示領域に表示される画像データによっては、検知精度が低下することがある。
【０００５】
本発明は上記課題に鑑みてなされたものであり、表示領域前方の操作領域において行われる操作を検知する表示装置において、検知精度を向上させることを目的とする。
【課題を解決するための手段】
【０００６】
一態様によれば、表示装置は以下のような構成を備える。即ち、
表示領域前方の操作領域に赤外線を投光する投光器と、
前記投光器が投光した際の反射光を受光する受光器と、
表示領域に表示される画像データの各画素値に応じて、前記投光器が投光する赤外線の光量、または、前記受光器が受光する反射光の光量を、補正する補正部と
を有することを特徴とする。
【発明の効果】
【０００７】
表示領域前方の操作領域において行われる操作を検知する表示装置において、検知精度を向上させることができる。
【図面の簡単な説明】
【０００８】
【図１】表示装置の外観構成を示す図である。
【図２】表示装置の各要素の配置例及び赤外線の投光範囲を示す断面図である。
【図３】表示装置のハードウェア構成の一例を示す図である。
【図４】制御装置のハードウェア構成の一例を示す図である。
【図５】第１の実施形態に係る表示装置において実現される表示制御部の機能構成の一例を示す図である。
【図６】受光量補正部の機能構成の詳細を示す図である。
【図７】第１ＬＥＤ〜第４ＬＥＤの制御信号とＰＤ信号の取得タイミングとの関係を示す図である。
【図８】第１の実施形態に係る表示装置において実行される検知処理の流れを示すフローチャートである。
【図９】第２の実施形態に係る表示装置において実現される表示制御部の機能構成の一例を示す図である。
【図１０】投光量補正部の機能構成の詳細を示す図である。
【図１１】第２の実施形態に係る表示装置において実行される検知処理の流れを示すフローチャートである。
【発明を実施するための形態】
【０００９】
以下、各実施形態について添付の図面を参照しながら説明する。なお、本明細書及び図面において、実質的に同一の機能構成を有する構成要素については、同一の符号を付することにより重複した説明を省く。
【００１０】
［第１の実施形態］
＜表示装置の外観構成、各要素の配置例及び赤外線の投光範囲＞
はじめに、第１の実施形態に係る表示装置の外観構成、表示装置の各要素の配置例、及び、赤外線の投光範囲について説明する。図１は、表示装置の外観構成を示す図であり、表示装置１００を正面側から見た様子を示している。なお、以下では、表示装置１００を正面側から見た場合の幅方向をｘ軸方向、高さ方向をｙ軸方向とする。
【００１１】
図１に示すように、表示装置１００は、画像を表示する表示領域を提供する液晶装置１１０と、表示領域の外周領域に位置する非表示領域１２０とを有する。また、表示装置１００は、非表示領域１２０の内部に、投光器の一例である、第１の赤外線ＬＥＤ（Light Emitting Diode）１３１〜第４の赤外線ＬＥＤ（Light Emitting Diode）１３４を有する。更に、表示装置１００は、非表示領域１２０の内部に、受光器の一例である、ＰＤ（Photo Diode）１４０を有する。なお、以下では、第１の赤外線ＬＥＤ〜第４の赤外線ＬＥＤを、第１ＬＥＤ〜第４ＬＥＤと略して記載する。
【００１２】
図１の例では、第１ＬＥＤ１３１が表示装置１００に向かって最も左側に配置されており、第４ＬＥＤ１３４が表示装置１００に向かって最も右側に配置されている。第１ＬＥＤ１３１〜第４ＬＥＤ１３４は、それぞれ、表示領域前方の操作領域に対する操作を検知するための赤外線を投光する。
【００１３】
また、図１に示すように、ＰＤ１４０は、表示領域の中央下部に配置され、表示領域前方の操作領域を受光範囲としている。これにより、ＰＤ１４０は、表示領域前方に投光された赤外線に対する反射物からの反射光を、受光することができる。
【００１４】
図２は、表示装置の各要素の配置例及び赤外線の投光範囲を示す断面図である。このうち、図２（ａ）は、表示装置１００を左側面から見た場合の断面図である。なお、以下では、表示領域に略直交する方向をｚ軸方向とする。
【００１５】
図２（ａ）に示すように、非表示領域１２０の内部に配置された第１ＬＥＤ１３１〜第４ＬＥＤ１３４より投光された赤外線は、導光板２００に導かれ、液晶装置１１０により提供される表示領域の前方に投光される（投光範囲２０１〜２０４参照）。
【００１６】
図２（ｂ）は、表示装置１００を上から見た場合の断面図である。図２（ｂ）に示すように、液晶装置１１０により提供される表示領域の前方に位置する操作領域であって、例えば、第４ＬＥＤ１３４の投光範囲２０４に操作者の手指２１０が移動したとする。この場合、第４ＬＥＤ１３４より赤外線が投光されると、投光された赤外線が、操作者の手指２１０で反射し、反射光がＰＤ１４０において受光されることになる。この結果、ＰＤ１４０における受光量が増加し、表示装置１００では、投光範囲２０４において操作が行われたことを検知する。
【００１７】
＜表示装置のハードウェア構成＞
次に、表示装置のハードウェア構成について説明する。図３は、表示装置のハードウェア構成の一例を示す図である。図３に示すように、表示装置１００は、液晶装置１１０と、第１ＬＥＤ１３１〜第４ＬＥＤ１３４と、ＰＤ１４０と、制御装置３００とを有する。
【００１８】
制御装置３００には、表示制御プログラムがインストールされており、当該プログラムが実行されることで、制御装置３００は、表示制御部３１０として機能する。表示制御部３１０は、液晶装置１１０に画像データを出力することで、表示領域に画像を表示する。
【００１９】
また、表示制御部３１０は、第１ＬＥＤ１３１〜第４ＬＥＤ１３４による赤外線の投光を制御する制御信号を出力する。また、表示制御部３１０は、第１ＬＥＤ１３１〜第４ＬＥＤ１３４それぞれの投光タイミングに応じてＰＤ１４０の受光を制御し、ＰＤ１４０が受光したＰＤ信号を取得する。また、表示制御部３１０は、取得したＰＤ信号に基づき、各投光タイミングにおける赤外線の受光量を算出する。更に、表示制御部３１０は、算出した受光量に基づいて、表示領域前方の操作領域において操作者による操作が行われたか否かを判定する。
【００２０】
＜制御装置のハードウェア構成＞
次に、制御装置３００のハードウェア構成について説明する。図４は、制御装置のハードウェア構成の一例を示す図である。図４に示すように、制御装置３００は、演算装置４０１、記憶装置４０２、信号出力装置４０３、画像データ出力装置４０４、信号入力装置４０５を有する。なお、制御装置３００を構成する各ハードウェアは、バス４０６を介して相互に接続されている。
【００２１】
演算装置４０１は、表示制御部３１０として機能する集積回路である。記憶装置４０２は、演算装置４０１が表示制御部３１０として機能する際に用いられる情報等を格納するメモリである。信号出力装置４０３は、演算装置４０１からの指令に基づき第１ＬＥＤ１３１〜第４ＬＥＤ１３４を制御する制御信号を出力する出力デバイスである。画像データ出力装置４０４は、演算装置４０１の指令に基づき生成された画像データを、液晶装置１１０に出力する画像出力デバイスである。信号入力装置４０５は、ＰＤ１４０よりＰＤ信号を受信し、演算装置４０１に入力する入力デバイスである。
【００２２】
＜表示制御部の機能構成＞
次に、表示制御部３１０の機能構成について説明する。図５は、第１の実施形態に係る表示装置において実現される表示制御部の機能構成の一例を示す図である。図５に示すように、表示制御部３１０は、全体制御部５１０、Ｉｒ−ＬＥＤ制御部５２０、表示部５３０、検知部５４０、受光量補正部５５０を有する。
【００２３】
全体制御部５１０は、表示装置１００全体を制御し、Ｉｒ−ＬＥＤ制御部５２０に制御信号を出力したり、表示部５３０に画像データを出力したりする。また、全体制御部５１０は、検知部５４０より検知結果を取得する。
【００２４】
Ｉｒ−ＬＥＤ制御部５２０は、全体制御部５１０より出力された制御信号に基づいて、第１ＬＥＤ１３１〜第４ＬＥＤ１３４の投光を制御する。また、Ｉｒ−ＬＥＤ制御部５２０は、全体制御部５１０より出力された制御信号を、受光量補正部５５０に通知する。
【００２５】
表示部５３０は、全体制御部５１０より出力された画像データに基づいて、液晶装置１１０を制御する。また、表示部５３０は、全体制御部５１０より出力された画像データに含まれる各画素値（Ｒ値、Ｇ値、Ｂ値）のうち、Ｒ値を受光量補正部５５０に通知する。ここで、Ｒ値のみを通知するのは、液晶装置１１０が備えるＲ、Ｇ、Ｂの各カラーフィルタのうち、Ｒフィルタは検知に用いる赤外線をほぼ透過し、Ｇ、Ｂフィルタは赤外線をほぼ遮断するという特性を有するからである。
【００２６】
受光量補正部５５０は、Ｉｒ−ＬＥＤ制御部５２０より通知された制御信号に基づいて、ＰＤ１４０が受光したＰＤ信号を、信号入力装置４０５を介して取得する。また、受光量補正部５５０は、取得したＰＤ信号が示す受光量を、表示部５３０より通知されたＲ値に基づいて補正し、補正後受光量を検知部５４０に通知する。
【００２７】
検知部５４０は、受光量補正部５５０より通知された補正後受光量に基づいて、操作領域において操作者により操作が行われたか否かを判定する。また、検知部５４０は、操作領域において操作者により操作が行われたと判定した場合に、検知結果（操作が行われたこと、操作された位置等の情報）を全体制御部５１０に通知する。
【００２８】
＜受光量補正部の機能構成の詳細＞
次に、受光量補正部５５０の機能構成の詳細について説明する。図６は、受光量補正部の機能構成の詳細を示す図である。図６に示すように、受光量補正部５５０は、選択部６１０、透過率積算部６２０、補正部６３０、受光量取得部６４０を有する。
【００２９】
選択部６１０は、表示部５３０より通知されたＲ値を、第１領域から第４領域に分けて、順次、取得する。図６に示すように、液晶装置１１０により提供される表示領域は、第１ＬＥＤ１３１〜第４ＬＥＤ１３４の位置に応じて、４つの領域（第１領域から第４領域）に分けられる。そこで、選択部６１０は、表示領域に表示される画像データのうち、はじめに、第１領域に表示される画像データの画素値（Ｒ値）を、第１領域画素値（Ｒ）として取得し、透過率積算部６２０に通知する。
【００３０】
続いて、選択部６１０は、表示領域に表示される画像データのうち、第２領域に表示される画像データの画素値（Ｒ値）を、第２領域画素値（Ｒ）として取得し、透過率積算部６２０に通知する。
【００３１】
続いて、選択部６１０は、表示領域に表示される画像データのうち、第３領域に表示される画像データの画素値（Ｒ値）を、第３領域画素値（Ｒ）として取得し、透過率積算部６２０に通知する。
【００３２】
続いて、選択部６１０は、表示領域に表示される画像データのうち、第４領域に表示される画像データの画素値（Ｒ値）を、第４領域画素値（Ｒ）として取得し、透過率積算部６２０に通知する。
【００３３】
透過率積算部６２０は、選択部６１０より通知された第１領域画素値（Ｒ）に基づいて、第１領域の液晶偏向度を算出する。これにより、第１領域における赤外線の液晶透過率の積算値を算出することができる。同様に、透過率積算部６２０は、選択部６１０より通知された第２領域画素値（Ｒ）に基づいて、第２領域の液晶偏向度を算出する。これにより、第２領域における赤外線の液晶透過率の積算値を算出することができる。
【００３４】
同様に、透過率積算部６２０は、選択部６１０より通知された第３領域画素値（Ｒ）に基づいて、第３領域の液晶偏向度を算出する。これにより、第３領域における赤外線の液晶透過率の積算値を算出することができる。同様に、透過率積算部６２０は、選択部６１０より通知された第４領域画素値（Ｒ）に基づいて、第４領域の液晶偏向度を算出する。これにより、第４領域における赤外線の液晶透過率の積算値を算出することができる。
【００３５】
受光量取得部６４０は、Ｉｒ−ＬＥＤ制御部５２０より通知される制御信号に基づいて、ＰＤ信号を取得する。ここで、第１ＬＥＤ１３１〜第４ＬＥＤ１３４の制御信号と、受光量取得部６４０におけるＰＤ信号の取得タイミングとの関係を図７に示す。
【００３６】
図７は、第１ＬＥＤ〜第４ＬＥＤの制御信号とＰＤ信号の取得タイミングとの関係を示す図であり、横軸は時間を表し、縦軸は投光または受光のＯＮ及びＯＦＦのタイミングを示している。図６に示すように、Ｉｒ−ＬＥＤ制御部５２０は、第１ＬＥＤ１３１〜第４ＬＥＤ１３４それぞれによる投光のＯＮ及びＯＦＦが、順次、実行されるように制御する。
【００３７】
図７の場合、Ｉｒ−ＬＥＤ制御部５２０は、はじめに第１ＬＥＤ１３１が赤外線を投光するように制御する。続いて、Ｉｒ−ＬＥＤ制御部５２０は、第２ＬＥＤ１３２が赤外線を投光するように制御する。このとき、Ｉｒ−ＬＥＤ制御部５２０は、第１ＬＥＤ１３１の投光時間帯と、第２ＬＥＤ１３２の投光時間帯とが重なることがないように、第１ＬＥＤ１３１及び第２ＬＥＤ１３２の投光のＯＮ及びＯＦＦを制御する。
【００３８】
続いて、Ｉｒ−ＬＥＤ制御部５２０は、第３ＬＥＤ１３３が赤外線を投光するように制御する。このとき、Ｉｒ−ＬＥＤ制御部５２０は、第２ＬＥＤ１３２の投光時間帯と、第３ＬＥＤ１３３の投光時間帯とが重なることがないように、第２ＬＥＤ１３２及び第３ＬＥＤ１３３の投光のＯＮ及びＯＦＦを制御する。
【００３９】
以下、第４ＬＥＤ１３４の投光のＯＮ及びＯＦＦまで同様の制御を繰り返し、第４ＬＥＤ１３４の投光のＯＮ及びＯＦＦの制御が完了すると、Ｉｒ−ＬＥＤ制御部５２０では、再び、第１ＬＥＤ１３１が赤外線を投光するように制御する。
【００４０】
一方、受光量取得部６４０は、第１ＬＥＤ１３１〜第４ＬＥＤ１３４それぞれの投光タイミングに同期して受光するよう、ＰＤ１４０を制御する。これにより、受光量取得部６４０では、第１ＬＥＤ１３１〜第４ＬＥＤ１３４それぞれの投光タイミングにおいて、ＰＤ１４０が受光した赤外線の受光量を取得することができる。
【００４１】
Ｉｒ−ＬＥＤ制御部５２０及び受光量取得部６４０では、これらの処理を一周期として繰り返し実行する。これにより、表示制御部３１０では、表示装置１００の起動中、操作領域において操作が行われたか否かを、常時監視することができる。なお、Ｉｒ−ＬＥＤ制御部５２０及び受光量取得部６４０では、例えば、１０［ｍｓｅｃ］の繰り返し周期により、これらの処理を繰り返すものとする。
【００４２】
図６の説明に戻る。受光量取得部６４０において取得した受光量は、補正部６３０に通知される。補正部６３０は、第１ＬＥＤ１３１投光時の受光量を、第１領域における赤外線の液晶透過率の積算値を用いて補正する。第１領域を透過した赤外線の光量は、第１領域における赤外線の液晶透過率の積算値によって決まるからである。
【００４３】
同様に、補正部６３０は、第２ＬＥＤ１３２投光時の受光量を、第２領域における赤外線の液晶透過率の積算値を用いて補正する。第２領域を透過した赤外線の光量は、第２領域における赤外線の液晶透過率の積算値によって決まるからである。同様に、補正部６３０は、第３ＬＥＤ１３３投光時の受光量を、第３領域における赤外線の液晶透過率の積算値を用いて補正する。第３領域を透過した赤外線の光量は、第３領域における赤外線の液晶透過率の積算値によって決まるからである。同様に、補正部６３０は、第４ＬＥＤ１３４投光時の受光量を、第４領域における赤外線の液晶透過率の積算値を用いて補正する。第４領域を透過した赤外線の光量は、第４領域における赤外線の液晶透過率の積算値によって決まるからである。
【００４４】
このように、赤外線ＬＥＤの位置に応じた領域ごとに、画像データのＲ値に応じた液晶透過率の積算値を算出し、各領域の受光量を補正する。これにより、投光量補正部９１０では、画像データのＲ値の変化に伴う赤外線の透過率の変化（つまり、赤外線照射量の変化）の影響を排除した、補正後の受光量を出力することができる。
【００４５】
＜検知処理の流れ＞
次に、表示装置１００において実行される検知処理の流れについて説明する。図８は、第１の実施形態に係る表示装置において実行される検知処理の流れを示すフローチャートである。表示装置１００が起動することで、図８に示すフローチャートが実行される。
【００４６】
ステップＳ８０１において、全体制御部５１０は、ＬＥＤカウンタｎに"１"を代入する。ステップＳ８０２において、Ｉｒ−ＬＥＤ制御部５２０は、第ｎＬＥＤを制御することで投光を行い、受光量補正部５５０は、ＰＤ１４０が受光したＰＤ信号に基づいて、受光量を取得する。
【００４７】
ステップＳ８０３において、受光量補正部５５０は、第ｎ領域の画像データの画素値（Ｒ）を表示部５３０から取得し、液晶透過率の積算値を算出する。ステップＳ８０４において、受光量補正部５５０は、取得した受光量を、液晶透過率の積算値を用いて補正し、補正後の受光量を出力する。
【００４８】
ステップＳ８０５において、検知部５４０は、補正後の受光量に基づいて、操作領域において操作が行われたか否かを判定し、操作が行われたと判定した場合には、検知結果を全体制御部５１０に出力する。
【００４９】
ステップＳ８０６において、全体制御部５１０は、検知処理を終了するか否かを判定し、終了しないと判定した場合には（ステップＳ８０６においてＮｏの場合には）、ステップＳ８０７に進む。
【００５０】
ステップＳ８０７において、全体制御部５１０は、ＬＥＤカウンタｎが"４"であるか否かを判定する。ステップＳ８０７において、ＬＥＤカウンタｎが"４"であると判定した場合には（ステップＳ８０７においてＹｅｓの場合には）、ステップＳ８０９に進み、ＬＥＤカウンタｎに"１"を代入した後、ステップＳ８０２に戻る。
【００５１】
一方、ステップＳ８０７において、ＬＥＤカウンタｎが"４"でないと判定した場合には（ステップＳ８０７においてＮｏの場合には）、ステップＳ８０８に進み、ＬＥＤカウンタｎをインクリメントした後、ステップＳ８０２に戻る。
【００５２】
一方、ステップＳ８０６において、終了すると判定した場合には（ステップＳ８０６においてＹｅｓの場合には）、検知処理を終了する。
【００５３】
＜まとめ＞
以上の説明から明らかなように、第１の実施形態に係る表示装置１００は、
・表示領域前方の操作領域に赤外線を投光する第１ＬＥＤ〜第４ＬＥＤを有する。
・第１ＬＥＤ〜第４ＬＥＤが順次投光し、それぞれの投光タイミングにおいてＰＤが受光した赤外線の受光量を取得する。
・第１ＬＥＤ〜第４ＬＥＤが順次投光する際に、表示領域に表示される画像データの各画素値（Ｒ値）を、第１ＬＥＤ〜第４ＬＥＤの位置に応じた領域ごとに取得する。
・取得した各領域の画素値（Ｒ値）に基づいて、領域ごとに、液晶透過率の積算値を算出し、算出した液晶透過率の積算値に基づいて、取得した赤外線の受光量を、領域ごとに補正する。
【００５４】
これにより、第１の実施形態によれば、表示領域に表示される画像データのＲ値の変化に応じて、赤外線の受光量を補正することが可能となり、表示領域に表示される画像データのＲ値の変化に伴う赤外線照射量の変化の影響を除外することができる。
【００５５】
この結果、第１の実施形態によれば、表示領域前方の操作領域において行われる操作を検知する表示装置において、検知精度を向上させることができる。
【００５６】
［第２の実施形態］
上記第１の実施形態では、表示領域に表示される画像データのＲ値の変化に伴う赤外線照射量の変化の影響を除外するために、赤外線の受光量を補正する場合について説明した。しかしながら、表示領域に表示される画像データのＲ値の変化に伴う赤外線照射量の変化の影響を除外するための方法はこれに限定されず、例えば、赤外線の投光量を補正するように構成してもよい。以下、第２の実施形態について、上記第１の実施形態との相違点を中心に説明する。
【００５７】
＜表示制御部の機能構成＞
はじめに、第２の実施形態に係る表示装置における表示制御部の機能構成について説明する。図９は、第２の実施形態に係る表示装置における表示制御部の機能構成の一例を示す図である。図５との相違点は、表示制御部９００の場合、投光量補正部９１０、Ｉｒ−ＬＥＤ制御部９２０、受光量取得部９３０を有する。
【００５８】
投光量補正部９１０は、全体制御部５１０より出力された制御信号を、Ｉｒ−ＬＥＤ制御部９２０に通知する。また、投光量補正部９１０は、表示部５３０より通知された画素値に基づいて、第１ＬＥＤ１３１〜第４ＬＥＤ１３４の投光量を算出し、Ｉｒ−ＬＥＤ制御部９２０に通知する。
【００５９】
Ｉｒ−ＬＥＤ制御部９２０は、投光量補正部９１０より通知された制御信号と、投光量補正部９１０より通知された投光量とに基づいて、第１ＬＥＤ１３１〜第４ＬＥＤ１３４の投光タイミング、投光量を制御する。また、Ｉｒ−ＬＥＤ制御部９２０は、投光量補正部９１０より通知された制御信号を、受光量取得部９３０に通知する。
【００６０】
受光量取得部９３０は、Ｉｒ−ＬＥＤ制御部９２０より通知された制御信号に基づいて、ＰＤ１４０が受光したＰＤ信号を、信号入力装置４０５を介して取得する。また、受光量取得部９３０は、取得したＰＤ信号が示す受光量を、検知部５４０に通知する。
【００６１】
＜投光量補正部の機能構成の詳細＞
次に、投光量補正部９１０の機能構成の詳細について説明する。図１０は、投光量補正部の機能構成の詳細を示す図である。図１０に示すように、投光量補正部９１０は、選択部１０１０、透過率積算部１０２０、補正部１０３０を有する。
【００６２】
選択部１０１０は、表示部５３０より通知されたＲ値を、第１領域から第４領域に分けて、順次、取得する。図１０に示すように、液晶装置１１０により提供される表示領域は、第１ＬＥＤ１３１〜第４ＬＥＤ１３４の位置に応じて、４つの領域（第１領域から第４領域）に分けられる。そこで、選択部１０１０は、表示領域に表示される画像データのうち、はじめに、第１領域に表示される画像データの画素値（Ｒ値）を、第１領域画素値（Ｒ）として取得し、透過率積算部１０２０に通知する。
【００６３】
続いて、選択部１０１０は、表示領域に表示される画像データのうち、第２領域に表示される画像データの画素値（Ｒ値）を、第２領域画素値（Ｒ）として取得し、透過率積算部１０２０に通知する。
【００６４】
続いて、選択部１０１０は、表示領域に表示される画像データのうち、第３領域に表示される画像データの画素値（Ｒ値）を、第３領域画素値（Ｒ）として取得し、透過率積算部１０２０に通知する。
【００６５】
続いて、選択部１０１０は、表示領域に表示される画像データのうち、第４領域に表示される画像データの画素値（Ｒ値）を、第４領域画素値（Ｒ）として取得し、透過率積算部１０２０に通知する。
【００６６】
透過率積算部１０２０は、選択部１０１０より通知された、第１領域画素値（Ｒ）に基づいて、第１領域の液晶偏向度を算出する。これにより、第１領域における赤外線の液晶透過率の積算値を算出することができる。同様に、透過率積算部１０２０は、選択部１０１０より通知された、第２領域画素値（Ｒ）に基づいて、第２領域の液晶偏向度を算出する。これにより、第２領域における赤外線の液晶透過率の積算値を算出することができる。
【００６７】
同様に、透過率積算部１０２０は、選択部１０１０より通知された、第３領域画素値（Ｒ）に基づいて、第３領域の液晶偏向度を算出する。これにより、第３領域における赤外線の液晶透過率の積算値を算出することができる。同様に、透過率積算部１０２０は、選択部１０１０より通知された第４領域画素値（Ｒ）に基づいて、第４領域の液晶偏向度を算出する。これにより、第４領域における赤外線の液晶透過率の積算値を算出することができる。
【００６８】
補正部１０３０は、第１ＬＥＤ１３１投光時の投光量を、第１領域における赤外線の液晶透過率の積算値を用いて補正する。第１領域を透過した赤外線の光量は、第１領域における赤外線の液晶透過率の積算値によって決まるからである。
【００６９】
同様に、補正部１０３０は、第２ＬＥＤ１３２投光時の投光量を、第２領域における赤外線の液晶透過率の積算値を用いて補正する。第２領域を透過した赤外線の光量は、第２領域における赤外線の液晶透過率の積算値によって決まるからである。同様に、補正部１０３０は、第３ＬＥＤ１３３投光時の投光量を、第３領域における赤外線の液晶透過率の積算値を用いて補正する。第３領域を透過した赤外線の光量は、第３領域における赤外線の液晶透過率の積算値によって決まるからである。同様に、補正部１０３０は、第４ＬＥＤ１３４投光時の投光量を、第４領域における赤外線の液晶透過率の積算値を用いて補正する。第４領域を透過した赤外線の光量は、第４領域における赤外線の液晶透過率の積算値によって決まるからである。
【００７０】
このように、赤外線ＬＥＤの位置に応じた領域ごとに、画像データのＲ値に応じた液晶透過率の積算値を算出し、各領域の投光量を補正する。これにより、投光量補正部９１０では、画像データのＲ値の変化に伴う赤外線の透過率の変化（つまり、赤外線照射量の変化）の影響を排除する、補正後の投光量を出力することができる。
【００７１】
＜検知処理の流れ＞
次に、表示装置１００において実行される検知処理の流れについて説明する。図１１は、第２の実施形態に係る表示装置において実行される検知処理の流れを示すフローチャートである。なお、図８を用いて説明した検知処理との相違点は、ステップＳ１１０１からＳ１１０４である。
【００７２】
ステップＳ１１０１において、投光量補正部９１０は、第ｎ領域の画像データの画素値（Ｒ）を表示部５３０から取得し、液晶透過率の積算値を算出する。ステップＳ１１０２において、投光量補正部９１０は、液晶透過率の積算値を用いて、デフォルトの投光量を補正し、補正後の投光量を出力する。
【００７３】
ステップＳ１１０３において、Ｉｒ−ＬＥＤ制御部９２０は、算出された投光量で、第ｎＬＥＤを制御することで投光を行い、受光量取得部９３０は、ＰＤ１４０が受光したＰＤ信号に基づいて、受光量を取得する。
【００７４】
ステップＳ１１０４において、検知部５４０は、取得された受光量に基づいて、操作領域において操作が行われたか否かを判定し、操作が行われたと判定した場合には、検知結果を全体制御部５１０に出力する。
【００７５】
＜まとめ＞
以上の説明から明らかなように、第２の実施形態に係る表示装置１００は、
・表示領域前方の操作領域に赤外線を投光する第１ＬＥＤ〜第４ＬＥＤを有する。
・第１ＬＥＤ〜第４ＬＥＤが順次投光し、それぞれの投光タイミングにおいてＰＤが受光した赤外線の受光量を取得する。
・第１ＬＥＤ〜第４ＬＥＤが順次投光する際に、表示領域に表示する画像データの各画素値（Ｒ値）を、第１ＬＥＤ〜第４ＬＥＤの位置に応じた領域ごとに取得する。
・取得した各領域の画素値（Ｒ値）に基づいて、領域ごとに、液晶透過率の積算値を算出し、算出した液晶透過率の積算値に基づいて、第１ＬＥＤ〜第４ＬＥＤ投光時の投光量を補正する。
【００７６】
これにより、第２の実施形態によれば、表示領域に表示される画像データのＲ値の変化に応じて、赤外線の投光量を補正することが可能となり、表示領域に表示される画像データのＲ値の変化に伴う赤外線照射量の変化の影響を除外することができる。
【００７７】
この結果、第２の実施形態によれば、表示領域前方の操作領域において行われる操作を検知する表示装置において、検知精度を向上させることができる。
【００７８】
［その他の実施形態］
上記第１及び第２の実施形態では、繰り返し周期ごとに、操作領域において操作が行われたか否かを判定する構成としたが、操作領域において操作が行われたか否かの判定方法はこれに限定されない。例えば、繰り返し周期複数回分の各赤外線ＬＥＤの投光タイミングにおいて投光された赤外線の反射光の受光量に基づいて、操作領域において操作が行われたか否かを、総合的に判定するように構成してもよい。
【００７９】
また、上記第１及び第２の実施形態では、表示装置１００に、第１ＬＥＤ１３１〜第４ＬＥＤ１３４の４個の赤外線ＬＥＤを配置する構成とした。しかしながら、赤外線ＬＥＤの数はこれに限定されず、複数個であれば何個でもよい。この場合、選択部６１０、１０１０では、赤外線ＬＥＤの数に応じた数の領域それぞれに属する画像データの画素値（Ｒ値）を順次取得するものとする。また、配置する位置も、図１に示した位置に限定されない。
【００８０】
また、上記第１及び第２の実施形態では、表示装置１００を一体的に構成するものとして説明したが、表示装置１００は、複数の装置で構成してもよい。例えば、表示装置１００において、制御装置３００と液晶装置１１０（及び第１ＬＥＤ１３１〜第４ＬＥＤ１３４、ＰＤ１４０）とは別体として構成してもよい。
【００８１】
また、上記第１及び第２の実施形態では、表示装置１００を、車両に搭載するものとして説明したが、車両以外の移動体や移動体以外の設備に搭載してもよい。
【００８２】
なお、上記実施形態に挙げた構成等に、その他の要素との組み合わせ等、ここで示した構成に本発明が限定されるものではない。これらの点に関しては、本発明の趣旨を逸脱しない範囲で変更することが可能であり、その応用形態に応じて適切に定めることができる。
【符号の説明】
【００８３】
１００                    ：表示装置
１１０                    ：液晶装置
１３１〜１３４            ：第１〜第４ＬＥＤ
１４０                    ：ＰＤ
２００                    ：導光板
３００                    ：制御装置
３１０                    ：表示制御部
５１０                    ：全体制御部
５２０                    ：Ｉｒ−ＬＥＤ制御部
５３０                    ：表示部
５４０                    ：検知部
５５０                    ：受光量補正部
６１０                    ：選択部
６２０                    ：透過率積算部
６３０                    ：補正部
６４０                    ：受光量取得部
９１０                    ：投光量補正部
９２０                    ：Ｉｒ−ＬＥＤ制御部
９３０                    ：受光量取得部
１０１０                  ：選択部
１０２０                  ：透過率積算部
１０３０                  ：補正部
【図１】
2020046775.tif 000003
【図２】
2020046775.tif 000004
【図３】
2020046775.tif 000005
【図４】
2020046775.tif 000006
【図５】
2020046775.tif 000007
【図６】
2020046775.tif 000008
【図７】
2020046775.tif 000009
【図８】
2020046775.tif 000010
【図９】
2020046775.tif 000011
【図１０】
2020046775.tif 000012
【図１１】
2020046775.tif 000013